(57)【要約】【課題】スタンドに薄手のシート材を使用しても十分な強度を確保することができ、低コストで製造できる自立吊下兼用の展示具を提供する。【解決手段】本体１を支持するスタンド２は、本体１の後面に起伏自在に取り付けられる背受板２１と支持板２３とを備え、背受板２１の両側に三角形状の側受板２４を連設し、支持板２３に型板部２３ａ及び突出部２３ｂを設け、型板部２３ａ及び突出部２３ｂの両側に差込片２３ｃ及び抜止片２３ｄをそれぞれ突設したものとし、自立状態では、背受板２１の開口部２１ａに挿入した突出部２３ｂを抜止片２３ｄで抜止し、両方の側受板２４の中間部に設けた差込穴２４ａに差込片２３ｃを差し込み、ハンガー状態では、一方の側受板２４の下部に設けたスリット２４ｂに他方の側受板２４を差し込み、背受板２１の下部に設けたロック片２１ｂを本体１のスリット１１ｃに差し込むようにする。【選択図】図２
2009106609.tif 000002
【特許請求の範囲】
【請求項１】
本体(1)の後面にシート材から成る折畳式のスタンド(2)を取り付けた展示具において、前記スタンド(2)は、本体(1)の後面に起伏自在に取り付けられる背受板(21)と支持板(23)とを備え、背受板(21)の両側に三角形状の側受板(24)を連設し、支持板(23)に型板部(23a)及び突出部(23b)を設け、型板部(23a)の両側に差込片(23c)を、突出部(23b)の両側に抜止片(23d)をそれぞれ突設し、背受板(21)の中間部分に開口部(21a)を設け、両方の側受板(24)の中間部に組立用の差込穴(24a)を、一方の側受板(24)の下部に折畳用のスリット(24b)をそれぞれ形成し、背受板(21)の下部にロック片(21b)を設けた構成とし、
スタンド(2)で本体(1)を後方へ傾けて支持する自立状態では、背受板(21)の下部を後方へ迫り出させ、支持板(23)を後方へ起こし、背受板(21)の開口部(21a)に支持板(23)の突出部(23b)を挿入して抜止片(23d)で抜け止めし、側受板(24)を前方へ折り曲げ、差込片(23c)を差込穴(24a)に差し込み、型板部(23a)の端縁を背受板(21)及び側受板(24)に内接させて、スタンド(2)を組立状態に保形し、
スタンド(2)を使用せずに吊り下げるハンガー状態では、側受板(24)を逆折りして、支持板(23)及び背受板(21)を本体(1)の後面に重ね、ロック片(21b)を本体(1)に形成したスリット(11c)に差し込み、側受板(24)同士を重ね合わせ、一方の側受板(24)のスリット(24b)に他方の側受板(24)の下縁部を差し込んで、スタンド(2)を折畳状態に保持することを特徴とする展示具。
【発明の詳細な説明】
【技術分野】
【０００１】
この発明は、商品の展示や宣伝等に使用され、スタンドで支持した自立状態と、スタンドを使用しないで吊り下げるハンガー状態とを選択できる展示具に関する。
【背景技術】
【０００２】
従来、例えば、下記特許文献１に従来例として記載された図７に示すもののように、商品の宣伝を記載するパネル状の本体５１の後面に、厚紙やプラスチック板等のシート材から成る折畳式のスタンド５２を取り付けた展示具が使用されている。
【０００３】
このスタンド５２は、本体５１の後面に貼り付けられる取付板５３の両側に側受板５４を連設し、一対の側受板５４を後方へ折り曲げ、本体５１の後面から起こした固定板５５を、側受板５４に設けた切抜部の後縁に係合させて、組立状態に保形し、本体５１を後方へ傾けて支持するものである。
【０００４】
【特許文献１】実用新案登録第２５５７５７９号公報
【発明の開示】
【発明が解決しようとする課題】
【０００５】
しかしながら、上記のような支持構造の展示具では、例えば、本体５１の前面に商品を載せる棚を設けると、後下方への荷重でスタンド５２の側受板５４が反るように曲がることがあり、これを防止するには、スタンド５２のシート材として、合紙等の厚手のものを使用せざるを得ず、コストが高くなるという問題があった。
【０００６】
また、スタンド５２を折り畳んで吊り下げるハンガー状態で展示する場合、側受板５４同士を両面ファスナ等を利用して重ね合わせた状態で固定する必要があり、このためにコストが上昇するという問題もあった。
【０００７】
そこで、この発明は、スタンドに薄手のシート材を使用しても十分な強度を確保することができ、低コストで製造できる自立吊下兼用の展示具を提供することを課題とする。
【課題を解決するための手段】
【０００８】
上記課題を解決するため、この発明は、本体の後面にシート材から成る折畳式のスタンドを取り付けた展示具において、前記スタンドは、本体の後面に起伏自在に取り付けられる背受板と支持板とを備え、背受板の両側に三角形状の側受板を連設し、支持板に型板部及び突出部を設け、型板部の両側に差込片を、突出部の両側に抜止片をそれぞれ突設し、背受板の中間部分に開口部を設け、両方の側受板の中間部に組立用の差込穴を、一方の側受板の下部に折畳用のスリットをそれぞれ形成し、背受板の下部にロック片を設けた構成としたのである。
【０００９】
そして、スタンドで本体を後方へ傾けて支持する自立状態では、背受板の下部を後方へ迫り出させ、支持板を後方へ起こし、背受板の開口部に支持板の突出部を挿入して抜止片で抜け止めし、側受板を前方へ折り曲げ、差込片を差込穴に差し込み、型板部の端縁を背受板及び側受板に内接させて、スタンドを組立状態に保形することとしたのである。
【００１０】
また、スタンドを使用せずに吊り下げるハンガー状態では、側受板を逆折りして、支持板及び背受板を本体の後面に重ね、ロック片を本体に形成したスリットに差し込み、側受板同士を重ね合わせ、一方の側受板のスリットに他方の側受板の下縁部を差し込んで、スタンドを折畳状態に保持することとしたのである。
【発明の効果】
【００１１】
この発明に係る展示具では、自立状態で使用する場合、スタンドの背受板と一対の側受板とが連設された部分で後下方への荷重を受け止め、背受板と側受板の撓みが阻止されるので、スタンドに薄手のシート材を使用しても十分な強度を確保することができ、材料に要するコストを抑制できる。
【００１２】
また、ハンガー状態で使用する場合、側受板及びロック片のスリットへの差込により折畳状態を維持するので、面ファスナ等を用いる必要がなく、低コストで製造できる。
【発明を実施するための最良の形態】
【００１３】
以下、この発明の実施形態を添付図面に基づいて説明する。この発明に係る展示具は、図１にブランク状態で示す本体１とスタンド２とから構成され、本体１とスタンド２のブランクは、同一の単紙を材料として形成される。
【００１４】
本体１のブランクでは、基板１１の一側に一方の側板１２が連設され、上下段の前板１３を介して他方の側板１２及び継代片１４が順次連設されている。各段の前板１３の上端には内前板１３ａ及び底板１５が順次連設され、これらが上下段の棚３，４を形成する。
【００１５】
上段の棚３の底板１５には、後端に係止片１５ａが、両側に側折片１５ｂがそれぞれ連設され、下段の棚４の前板１３の下端には底片１６ａが、基板１１の下端には底片１６ｂが、側板１２の下端には底片１６ｂがそれぞれ連設されている。
【００１６】
基板１１の上端には、重合板１１ａが連設され、基板１１の中間部には、門型の切込１１ｂが設けられている。基板１１の下端にはスリット１１ｃが設けられ、基板１１の上部と重合板１１ａの対応部分には、各２個の紐穴１１ｄが穿設されている。
【００１７】
また、基板１１の切込１１ｂの上方及び下方には、スタンド２の取付位置を示すＴ字状の一対のマーカーが押罫により入れられている。
【００１８】
一方、スタンド２のブランクでは、背受板２１の上端に取付板２２及び支持板２３が順次連設され、背受板２１の両側に三角形状の側受板２４が連設されている。背受板２１と側受板２４の境界の罫線は、押罫に断続する切目を入れたリード罫とされている。
【００１９】
支持板２３には、取付板２２側から型板部２３ａ及び突出部２３ｂが順次設けられ、型板部２３ａの両側には差込片２３ｃが、突出部２３ｂの両側には抜止片２３ｄがそれぞれ突設されている。
【００２０】
背受板２１の中間部分には両側下部に係合段部を有する開口部２１ａが、取付板２２の中間部分には方形の開口部２２ａがそれぞれ設けられ、両方の側受板２４の中間部には組立用の差込穴２４ａが、一方の側受板２４の下部には、折畳用の縦弧状スリット２４ｂがそれぞれ形成されている。背受板２１の下端には、ロック片２１ｂが突設されている。
【００２１】
いま、図２及び図３に示すように、上記のようなブランクから展示具を形成し、自立状態で使用するには、本体１を組み立てて、その後面にスタンド２を取り付ける。
【００２２】
本体１の組み立てに際しては、基板１１、一対の側板１２及び前板１３を角筒状に折り曲げ、継代片１４を基板１１に貼り付け、重合板１１ａを基板１１の前面に貼り合わせ、底片１６ａ、１６ｂ，１６ｃを噛み合わせて底面を閉止する。
【００２３】
また、棚３，４を形成するため、前板１３の内面に内前板１３ａを沿わせ、下段の棚４の部分では、底片１６ａ、１６ｂ，１６ｃに底板１５を載せ、上段の棚３の部分では、係止片１５ａを下方へ折り曲げて切込１１ｂに差し込み、側折片１５ｂを上方へ折り曲げて側板１２の内面に沿わせる。
【００２４】
次に、スタンド２の取付板２２を、背受板２１から下方へ折り曲げて、基板１１の後面に開口部２２ａと切込１１ｂの位置が対応するように貼り付け、背受板２１の下部を後方へ迫り出させ、支持板２３を後方へ起こし、抜止片２３ｄを逃がすように折り曲げつつ、背受板２１の開口部２１ａに突出部２３ｄを挿入して抜止片２３ｄで抜け止めする。
【００２５】
その後、側受板２４を前方へ折り曲げ、その端縁を本体１の後面に沿わせ、差込片２３ｃを差込穴２４ａに差し込み、型板部２３ａの端縁を背受板２１及び側受板２４に内接させて、スタンド２を組立状態に保形し、ロック片２１ｂを折り曲げ、本体１を後方へ傾けてスタンド２により支持する。
【００２６】
一方、この展示具をスタンド２を使用せずに吊り下げるハンガー状態で使用するには、抜止片２３ｄを折り曲げて、開口部２１ａから突出部２３ｂを抜き、さらに、差込穴２４ａから差込片２３ｃを抜く。
【００２７】
次に、図４に示すように、側受板２４を逆折りし、支持板２３を折り込んで、図５に示すように、支持板２３及び背受板２１を本体１の後面に取付板２２を介して重ね、ロック片２１ｂを本体１のスリット１１ｃに差し込み、側受板２４同士を重ね合わせ、一方の側受板２４のスリット２４ｂに他方の側受板２４の下縁部を差し込み、スタンド２を折畳状態に保持し、図６に示すように、紐穴１１ｄに挿通した紐により展示具を吊り下げる。
【００２８】
上記のような展示具では、自立状態で使用する場合、スタンド２の背受板２１と一対の側受板２４とが連設された部分で後下方への荷重を受け止め、背受板２１と側受板２４の撓みが阻止されるので、スタンド２の材料として、合紙ではなく単紙を使用しても十分な強度を確保することができ、材料に要するコストを抑制できる。
【００２９】
また、ハンガー状態で使用する場合、側受板２４のスリット２４ｂへの差込及びロック片２１ｂのスリット１１ｃへの差込により折畳状態を維持するので、面ファスナ等を用いる必要がなく、低コストで製造できる。
【００３０】
なお、上記実施形態では、本体１に棚３，４を設け、この棚３，４に商品を載せて展示するものを例示したが、本体１は、基板の穴にフックを有する商品を引っ掛けて展示するものとしてもよく、基板の前面に商品の広告を表示しただけの立看板としてもよい。
【００３１】
また、本体１及びスタンド２の材料には、板紙に代えて、段ボールを使用してもよく、プラスチック板を使用してもよい。
【００３２】
また、スタンド２として、背受板２１、取付板２２及び支持板２３が順次連設されたものを例示したが、取付板２２が背受板２１に繋がるものと、支持板２３に繋がるものとに分割され、スタンド２が二枚のブランクから成るものとしてもよい。
【図面の簡単な説明】
【００３３】
【図１】この発明に係る展示具の本体とスタンドのブランクを示す図
【図２】同上の自立状態を示す前方斜視図
【図３】同上の後方斜視図
【図４】同上の自立状態とハンガー状態との中間過程を示す後方斜視図
【図５】同上のハンガー状態への変換時の後方斜視図
【図６】同上のハンガー状態を示す前方斜視図
【図７】従来の展示具の後方斜視図
【符号の説明】
【００３４】
１  本体
２  スタンド
３，４  棚
１１  基板
１１ａ  重合板
１１ｂ  切込
１１ｃ  スリット
１１ｄ  紐穴
１２  側板
１３  前板
１３ａ  内前板
１４  継代片
１５  底板
１５ａ  係止片
１５ｂ  側折片
１６ａ，１６ｂ，１６ｃ  底片
２１  背受板
２１ａ  開口部
２１ｂ  ロック片
２２  取付板
２２ａ  開口部
２３  支持板
２３ａ  型板部
２３ｂ  突出部
２３ｃ  差込片
２３ｄ  抜止片
２４  側受板
２４ａ  差込穴
２４ｂ  スリット
【図１】
2009106609.tif 000003
【図２】
2009106609.tif 000004
【図３】
2009106609.tif 000005
【図４】
2009106609.tif 000006
【図５】
2009106609.tif 000007
【図６】
2009106609.tif 000008
【図７】
2009106609.tif 000009